(57)【要約】【課題】駐車違反の車の取り締まりに必要な違反車両の特定を容易とし、車両が立ち去った場合でも追尾して取り締まることができる駐車違反取り締まり方法およびその装置を提供すること。【解決手段】違反車両Ｃを撮影手段１１による遠隔監視し、画像処理手段１２による画像処理で特定した後、当該車両Ｃの違反内容を記録手段１３に記録し、この違反内容を無線送信手段１４で送信して駐車禁止区域にいる監視員が無線受信手段１５で受信して無線ＩＣチップ１６に記録する。そして、この無線ＩＣチップ１６を違反車両Ｃに取付けて追尾可能として取り締まるようにする。これにより、特定した違反車両Ｃを無線チップ１６により追尾して取り締まることができ、立ち去った違反車両の取り締まりも可能となり、不公平感のない取締りができるようになる。【選択図】      図１
2004280755.tif 000002
【特許請求の範囲】
【請求項１】
違反車両を特定した後、当該車両の違反内容を無線チップに記録し、この無線チップを前記違反車両に取付けて追尾可能として取り締まることを特徴とする駐車違反取り締まり方法。
【請求項２】
前記違反車両の特定を遠隔監視による画像処理で行うようにしたことを特徴とする請求項１記載の駐車違反取り締まり方法。
【請求項３】
前記違反車両の特定を、所定の駐車禁止区域を車のない状態で撮影して作成した規準画像とこの規準画像を撮影した同一の駐車禁止区域をある時間間隔で撮影して作成した取込画像とを比較し、これら画像の同一部分を除去した評価画像を作成し、所定の時間間隔内に作成した複数の評価画像から違反車両を特定するようにしたことを特徴とする請求項１または２記載の駐車違反取り締まり方法。
【請求項４】
前記無線チップをＩＣ内蔵シールで構成したことを特徴とする請求項１〜３のいずれかに記載の駐車違反取り締まり方法。
【請求項５】
駐車禁止区域内を撮影可能な撮影手段と、この撮影手段からの画像を処理して一定時間以上駐車した違反車両を特定するが画像処理手段と、この画像処理手段からの情報に基づき違反内容を記録する記録手段と、前記違反内容を記録するとともに追尾可能に前記違反車両に取付けられる無線チップとを備えることを特徴とする駐車違反取り締まり装置。
【請求項６】
前記違反内容を受信して前記無線チップに記録する無線受信記録手段を備えることを特徴とする請求項５記載の駐車違反取り締まり装置。
【請求項７】
前記無線チップをＩＣ内蔵シールで構成して違反車両に貼付することを特徴とする請求項５または６記載の駐車違反取り締まり装置。
【発明の詳細な説明】
【０００１】
【発明の属する技術分野】
この発明は、駐車違反取り締まり方法およびその装置に関し、駐車禁止区域における違反車両を遠隔監視で特定し、違反車両が立ち去ったとしても追尾して取り締まることができるようにしたものである。
【０００２】
【従来の技術】
近年、車両の増加に伴う駐車違反の増加により交通渋滞を悪化させているため、交通渋滞の悪化を抑制するよう駐車違反の車の取り締まりを強化することが検討されつつあり、民間への委託も考えられている。
【０００３】
これまでの駐車違反の取り締まりは、警察官が違反車両と路上との間にチョーク等でマーキングすることなどで行われているが、マーキング作業自体が交通の妨げとなったり、警察官が移動した後の駐車違反が取り締まられないなどの不公平感を生じており、種々の駐車違反の検出方法が提案されている。
【０００４】
例えば特許文献１の監視用映像記録装置は、監視対象領域を撮影する撮像手段と、前記監視対象領域の位置を検出する位置検出手段と、前記撮像手段による撮像時刻を計時するタイマー手段と、前記撮像手段により撮影された映像情報に前記位置検出手段による位置情報と前記タイマー手段により計時された撮像時刻を合成して記録する記録手段とを備え、前記記録手段に格納された映像情報から、前記位置情報又は時刻情報をキーとして検索して同一の位置情報又は時刻情報を有する映像情報を一画像として出力する再生制御手段とで構成してある。
【０００５】
これにより、例えば、警察官が違法駐車車両を検挙する場合には、パトロールカーに搭載された監視用映像記録装置を用いて車内から違法駐車車両を撮影し、一定時間の経過後に再度同じ場所を撮影して、再生制御手段により時刻の異なる同一の位置情報を有する映像情報を検索再生させると、一定時間だけ違法駐車していたことが判明することから、警察官による違法駐車車両の検挙を迅速且つ効果的に行うことができるようになる。
【０００６】
また、特許文献２の駐車違反検出方法では、所定の駐車禁止区域を車のない状態で撮影して作成した規準画像と、該規準画像を撮影した同一の駐車禁止区域を一定時間間隔で撮影して作成した取込画像とを比較し、各画像の同一像の部分を除去することにより評価画像を作成し、所定の時間間隔内に作成した複数の評価画像から各画像の同一座標において所定の像が抽出された場合には駐車違反の車があると判断するようにしている
【０００７】
これにより、駐車違反の車を取り締まることが容易になり、結果として駐車違反の車における取り締まりの強化に対して多大な人手を不要にし、且つコストを低減するようにしている。
【０００８】
【特許文献１】
特開平８‐２４２４４２号公報
【特許文献２】
特開２００２‐４９９８９号公報
【０００９】
【発明が解決しようとする課題】
しかしながら、これらの従来技術では、いずれも駐車禁止区域を画像認識して違反車両を認定することができるものの、前者では違反車両を認識できるにとどまり、後者では、認識後にナンバープレートを読み取るようにしているが、いずれの場合も違反者をその場で取り締まらないと完全な駐車違反の取締りができず、特に違反車両が立ち去ってしまうと、証拠不十分となる等、一層取締りが難しくなくなってしまうという問題がある。
【００１０】
この発明は、駐車違反の車の取り締まりに必要な違反車両の特定を容易とし、車両が立ち去った場合でも追尾して取り締まることができる駐車違反取り締まり方法およびその装置を提供しようとするものである。
【００１１】
【課題を解決するための手段】
上記従来技術が有する課題を解決するため、この発明の請求項１記載の駐車違反取り締まり方法は、違反車両を特定した後、当該車両の違反内容を無線チップに記録し、この無線チップを前記違反車両に取付けて追尾可能として取り締まることを特徴とするものである。
この駐車違反取り締まり方法によれば、違反車両を特定した後、当該車両の違反内容を無線チップに記録し、この無線チップを前記違反車両に取付けて追尾可能として取り締まるようにしており、特定した違反車両を無線チップにより追尾して取り締まることができ、立ち去った違反車両の取り締まりも可能としている。
【００１２】
また、この発明の請求項２記載の駐車違反取り締まり方法は、請求項１記載の構成に加え、前記違反車両の特定を遠隔監視による画像処理で行うようにしたことを特徴とするものである。
この駐車違反取り締まり方法によれば、前記違反車両の特定を遠隔監視による画像処理で行うようにしており、違反車両を遠隔監視で特定して取り締まることができるようになる。
【００１３】
さらに、この発明の請求項３記載の駐車違反取り締まり方法は、請求項１または２記載の構成に加え、前記違反車両の特定を、所定の駐車禁止区域を車のない状態で撮影して作成した規準画像とこの規準画像を撮影した同一の駐車禁止区域をある時間間隔で撮影して作成した取込画像とを比較し、これら画像の同一部分を除去した評価画像を作成し、所定の時間間隔内に作成した複数の評価画像から違反車両を特定するようにしたことを特徴とするものである。
この駐車違反取り締まり方法によれば、前記違反車両の特定を、所定の駐車禁止区域を車のない状態で撮影して作成した規準画像とこの規準画像を撮影した同一の駐車禁止区域をある時間間隔で撮影して作成した取込画像とを比較し、これら画像の同一部分を除去した評価画像を作成し、所定の時間間隔内に作成した複数の評価画像から違反車両を特定するようにしており、規準画像と取込画像とから評価画像を作成して違反車両を特定でき、画像処理により違反車両の特定が容易にできるようにしている。
【００１４】
また、この発明の請求項４記載の駐車違反取り締まり方法は、請求項１〜３のいずれかに記載の構成に加え、前記無線チップをＩＣ内蔵シールで構成したことを特徴とするものである。
この駐車違反取り締まり方法によれば、前記無線チップをＩＣ内蔵シールで構成するようにしており、無線ＩＣチップを内蔵したシールに違反内容を記録して貼付することで違反車両の追尾とともに、違反車両の特定および取締りが容易にできるようになる。
【００１５】
さらに、この発明の請求項５記載の駐車違反取り締まり装置は、駐車禁止区域内を撮影可能な撮影手段と、この撮影手段からの画像を処理して一定時間以上駐車した違反車両を特定するが画像処理手段と、この画像処理手段からの情報に基づき違反内容を記録する記録手段と、前記違反内容を記録するとともに追尾可能に前記違反車両に取付けられる無線チップとを備えることを特徴とするものである。
この駐車違反取り締まり装置によれば、駐車禁止区域内を撮影可能な撮影手段と、この撮影手段からの画像を処理して一定時間以上駐車した違反車両を特定するが画像処理手段と、この画像処理手段からの情報に基づき違反内容を記録する記録手段と、前記違反内容を記録するとともに追尾可能に前記違反車両に取付けられる無線チップとを備えて構成してあり、画像処理で違反車両を特定し、その違反内容を記録すると同時に、無線チップに記録して車両に取付けて追尾でき、立ち去った違反車両に対しても取締りができるようになる。
【００１６】
また、この発明の請求項６記載の駐車違反取り締まり装置は、請求項５記載の構成に加え、前記違反内容を受信して前記無線チップに記録する無線受信記録手段を備えることを特徴とするものである。
この駐車違反取り締まり装置によれば、前記違反内容を受信して前記無線チップに記録する無線受信記録手段を備えており、遠隔監視で特定した違反車両の違反内容を無線で受信して無線チップに記録して違反車両に取り付けることができ、立ち去った違反車両に対しても容易に取締りができるようになる。
【００１７】
さらに、この発明の請求項７記載の駐車違反取り締まり装置は、請求項５または６記載の構成に加え、前記無線チップをＩＣ内蔵シールで構成して違反車両に貼付することを特徴とするものである。
この駐車違反取り締まり装置によれば、前記無線チップをＩＣ内蔵シールで構成して違反車両に貼付するようにしており、無線ＩＣチップを内蔵したシールに違反内容を記録して貼付することで違反車両の追尾とともに、違反車両の特定および取締りが容易にできるようになる。
【００１８】
【発明の実施の形態】
以下、この発明の駐車違反取り締まり方法およびその装置の一実施の形態を図面を参照しながら詳細に説明する。
図１はこの発明の駐車違反取り締まり装置の一実施の形態にかかる概略構成図である。また図２はこの発明の駐車違反取り締まり装置の一実施の形態にかかる画像処理画面の一例の概略説明図である。
【００１９】
この発明の駐車違反取り締まり装置１０は、図１に示すように、所定の駐車禁止区域の全体を撮影するＣＣＤカメラ等の撮影手段１１を備え、監視用の支柱などに取り付けて撮影できるようにしてある。この撮影手段１１には、撮影した画像を処理して駐車違反した違反車両Ｃを特定する画像処理手段１２が接続されている。
そして、この画像処理手段１２には、記録手段１３が接続されており、画像処理後の違反車両Ｃの画像情報や違反車両を特定するのに必要な情報および違反内容の情報などがキーボードなどの入力装置などを介して入力して記録できるようにしてある。
また、この記録手段１３には、無線送信手段１４が備えられ、記録された情報を無線によって無線受信記録手段１５に送信できるようになっており、無線受信記録手段１５では、無線チップ１６に受信した情報を記録できるようになっている。
【００２０】
この無線チップ１６は、例えばＩＣを内蔵した無線ＩＣチップのシールが用いられ、違反車両Ｃの運転者がきずかない部分などに貼ることができるようにしたものが用いられ、既に無線ＩＣ部分が０．４〜１．０ｍｍ程度の大きさのものが開発されている。
この無線ＩＣチップは、少なくとも読み出し専用タイプのＲＯＭであれば良く、随時書き込み読み出しタイプのＲＡＭであっても良い。
なお、無線チップは、違反車両に取り付けることができれば、シールでなくともタグとしたもの等であっても良い。
【００２１】
このような駐車違反取り締まり装置１０の動作とともに、具体的な取り締まり方法について説明する。
まず、撮影手段１１と画像処理手段１２による駐車違反車両Ｃの特定方法についてその一例を説明する。
駐車違反を特定する際には、予め、所定の駐車禁止区域全体を車のない状態で撮影手段１１により撮影し、撮影信号を画像処理手段１２に送って規準画像ＰＳを作成する。
【００２２】
次に、駐車違反の特定開始と同時に、規準画像ＰＳを撮影した同一の駐車禁止区域を撮影手段１１により撮影し、規準画像ＰＳの作成と同様に撮影信号を画像処理手段１２に送って取込画像Ｐｎを作成する。
そして、規準画像ＰＳおよび取込画像Ｐｎを、画像処理手段１２の画像処理回路によって、撮影手段１１の撮影物を画素数として処理することにより撮影物の座標及び像を決定して作成し、例えば規準画像ＰＳ及び取込画像Ｐｎは、センターラインを直線の像とし、路面の縁石を左右に延びる直線の像とし、駐車禁止区域に車がある場合の取込画像Ｐｎには、車を所定の像としている。また、駐車禁止区域に車がない場合の取込画像Ｐｎには、車の所定の像がないものとなる。
【００２３】
こうして取込画像Ｐｎが作成されると、画像処理手段１２の画像処理回路により直ちに取込画像Ｐｎと規準画像ＰＳとを比較して両者の同一像の部分（例えばセンターラインの像や路面の縁石の像）を除去し、評価画像ＰＶｎを作成する。
【００２４】
続いて、所定の時間間隔（ここでは１分間隔）で、規準画像ＰＳを撮影した同一の駐車禁止区域を撮影手段１１により撮影し、規準画像ＰＳの作成と同様に撮影信号を画像処理手段１２に送って取込画像Ｐｎ＋１，…Ｐｎ＋５，…Ｐｎ＋ｔを作成し、さらに、画像処理手段１２により取込画像Ｐｎ＋１，…Ｐｎ＋５，…Ｐｎ＋ｔと規準画像ＰＳとを比較して両者の同一像の部分を除去し、評価画像ＰＶｎ＋１，…ＰＶｎ＋５，…ＰＶｎ＋ｔを作成する。
なお、時間は電波時計による精度の高い時間を用い、公正に計測する。
【００２５】
画像処理手段１２では、所定の時間間隔で作成された複数の評価画像ＰＶｎ，ＰＶｎ＋１，…ＰＶｎ＋５，…ＰＶｎ＋ｔを蓄積し、このうち駐車禁止となる所定の時間（ここでは５分と規定）を隔てた二つの評価画像ＰＶｎ，ＰＶｎ＋５（ここでは図２（ａ）と（ｂ））を比較して画像同一座標の車Ｃ１，Ｃ２，Ｃ３の像を抽出し、画像に車Ｃ１，Ｃ２，Ｃ３の像がある場合には、駐車違反の違反車両車Ｃ１，Ｃ２，Ｃ３があると判断し、画像に車の像がない場合には駐車違反の車両がないと判断する。
【００２６】
画像処理手段１２により駐車違反の車両Ｃ１，Ｃ２，Ｃ３がないと判断された際には、新たな取込画像Ｐｎ，Ｐｎ＋１，…Ｐｎ＋５，…Ｐｎ＋ｔを撮影し、同様に、新たな評価画像ＰＶｎ，ＰＶｎ＋１，…ＰＶｎ＋５，…ＰＶｎ＋ｔを作成して比較し、再度、駐車違反の違反車両の有無を判断する。
【００２７】
こうして駐車違反の違反車両Ｃが特定されたときには、画像情報を記録手段１３に記録するとともに、違反車両Ｃの特定に必要な車両のナンバー、車種、色などと、違反内容としての違反場所、違反年月日、違反時間などをキーボードなどの入力装置によって入力して記録し、電波時計の時間情報も合わせて記録する。なお、違反車両のナンバーなど情報は、撮影手段１１とは別に遠隔操作できるズーム機能付きの監視カメラなどを用いて行うようにしても良い。
【００２８】
一方、違反車両Ｃが発生した場合には、違反車両Ｃがあることを駐車禁止区域内にいる監視員に無線送信手段１４で無線連絡するとともに、監視員の持つ無線受信記録手段１５に違反内容を送信し、特定された違反車両の違反内容を知らせるとともに、違反車両Ｃ１、Ｃ２，Ｃ３ごとに用意したそれぞれの無線チップ１６にその内容を記録する。
【００２９】
こうして各無線チップ１６に違反内容を記録した後、監視員は、各無線チップ１６を各違反車両Ｃの車体の目立たない場所に取付ける。この無線チップ１６の車体への取付けは、無線チップ１６としてＩＣ内蔵シールを用いる場合には、シールを貼りつけることで簡単に行なうことができ、ＩＣ部分が０．４〜１．０ｍｍ程度の大きさであることから違反者にわからないように車体の底面等に貼ることができる。
【００３０】
このような各無線チップ１６をそれぞれの違反車両Ｃ１、Ｃ２，Ｃ３に貼ることで、違反者がそのまま違反車両Ｃ１，Ｃ２，Ｃ３で立ち去ったとしても無線チップ１６から発せられる信号をもとに各違反車両Ｃ１，Ｃ２，Ｃ３を追尾することができ、確実に取り締まることができる。
また、無線チップ１６の情報を読み取り装置で読み取ることで、それぞれの違反車両の違反内容を知ることができ、後日、駐車違反の事実を確認することも確実に行なうことができる。
【００３１】
このような駐車違反取り締まり方法およびその装置１０によれば、取り締まる警察官が路上にチョークでマーキングする必要もなく、違反者の取調べ中に他の駐車違反車両が立ち去る恐れもなくすることができ、さらにたとえ現場を立ち去っても後で無線チップの信号に基づき追尾することができるので、取り締まりの不公平感を払拭することができる。
これにより、効果的な取締りを留保することができ、駐車違反の効果的予防を実現することができる。
【００３２】
【発明の効果】
以上、一実施の形態とともに、具体的に説明したように、この発明の請求項１記載の駐車違反取り締まり方法によれば、違反車両を特定した後、当該車両の違反内容を無線チップに記録し、この無線チップを前記違反車両に取付けて追尾可能として取り締まるようにしたので、特定した違反車両を無線チップにより追尾して取り締まることができ、立ち去った違反車両の取り締まりも簡単に行うことができる。
【００３３】
また、この発明の請求項２記載の駐車違反取り締まり方法によれば、前記違反車両の特定を遠隔監視による画像処理で行うようにしたので、違反車両を遠隔監視で特定して取り締まることができ、取り締まりに要する人手を大幅に削減することができる。
【００３４】
さらに、この発明の請求項３記載の駐車違反取り締まり方法によれば、前記違反車両の特定を、所定の駐車禁止区域を車のない状態で撮影して作成した規準画像とこの規準画像を撮影した同一の駐車禁止区域をある時間間隔で撮影して作成した取込画像とを比較し、これら画像の同一部分を除去した評価画像を作成し、所定の時間間隔内に作成した複数の評価画像から違反車両を特定するようにしたので、規準画像と取込画像とから評価画像を作成して違反車両を特定でき、画像処理により違反車両の特定を容易におこなうことができる。
【００３５】
また、この発明の請求項４記載の駐車違反取り締まり方法によれば、前記無線チップをＩＣ内蔵シールで構成するようにしたので、無線ＩＣチップを内蔵したシールに違反内容を記録して貼付することで違反車両の追尾とともに、違反車両の特定および取締りを容易に行うことができる。
【００３６】
さらに、この発明の請求項５記載の駐車違反取り締まり装置によれば、駐車禁止区域内を撮影可能な撮影手段と、この撮影手段からの画像を処理して一定時間以上駐車した違反車両を特定するが画像処理手段と、この画像処理手段からの情報に基づき違反内容を記録する記録手段と、前記違反内容を記録するとともに追尾可能に前記違反車両に取付けられる無線チップとを備えて構成したので、画像処理で違反車両を特定し、その違反内容を記録すると同時に、無線チップに記録して車両に取付けて追尾でき、立ち去った違反車両に対しても簡単に取締りができる。
【００３７】
また、この発明の請求項６記載の駐車違反取り締まり装置によれば、前記違反内容を受信して前記無線チップに記録する無線受信記録手段を備えているので、遠隔監視で特定した違反車両の違反内容を無線で受信して無線チップに記録して違反車両に取り付けることができ、立ち去った違反車両に対しても容易に取締りを行うことができる。
【００３８】
さらに、この発明の請求項７記載の駐車違反取り締まり装置によれば、前記無線チップをＩＣ内蔵シールで構成して違反車両に貼付するようにしたので、無線ＩＣチップを内蔵したシールに違反内容を記録して貼付することで違反車両の追尾とともに、違反車両の特定および取締りが容易にできる。
これら発明により、立ち去った違反車両に対しても駐車違反の取り締まりが容易になり、不公平感をなくして駐車違反の取り締まりの強化ができ、しかも多大な人手を不要にし、且つコストを低減することができる。
【図面の簡単な説明】
【図１】この発明の駐車違反取り締まり装置の一実施の形態にかかる概略構成図である。
【図２】この発明の駐車違反取り締まり装置の一実施の形態にかかる画像処理画面の一例の概略説明図である。
【符号の説明】
１０  駐車違反取り締まり装置
１１  撮影手段
１２  画像処理手段
１３  記録手段
１４  無線送信手段
１５  無線受信手段
１６  無線チップ
Ｃ    違反車両
【図１】
2004280755.tif 000003
【図２】
2004280755.tif 000004